(57)【要約】【課題】両面原稿の効率的な同時読み取りができるデジタル複写機の提供。【解決手段】原稿の表面画像を読み取り手段（１）で読み取った画像データの主走査１ライン分のデータと、読み取り手段（２）で読み取った裏面画像データの主走査１ライン分のデータを画像データ合成手段で生成される画像有効領域信号の前半部分に読み取り手段（１）の画像データ、後半部分に読み取り手段（２）のデータとなるように結合して合成した画像データとし、読み取り手段（１）及び読み取り手段（２）で読み取ったことを識別できる画像データ識別信号を合成した画像データに同期させて処理手段に伝送し、画像処理手段は、画像データ合成手段より受け取った合成した画像データを、画像データ識別信号により異なった画像処理パラメータで画像処理を行うことを特徴とする。【選択図】        図２
2004266439.tif 000002
【特許請求の範囲】
【請求項１】
原稿両面の画像情報を同時に読み取り可能とし、
原稿の表面画像を読み取る読み取り手段（１）と原稿の裏面画像を読み取る読み取り手段（２）と、
前記読み取り手段（１）で読み取った画像データと前記読み取り手段（２）で読み取った画像データとを合成する画像データ合成手段と、
前記画像データ合成手段で合成された画像データを加工する画像処理手段と、
前記画像処理手段で加工された画像データを記憶する記憶手段と、
前記記憶手段から画像データを読み出して記憶部に書き込みを行う書き込み手段と、
を有するデジタル複写機において、
原稿両面の画像情報を同時に読み取る両面読み取りモードと、原稿片面の画像情報を読み取る片面読み取りモードとを有し、前記両面読み取りモードが選択されたときは、前記画像データ合成手段は、前記読み取り手段（１）で読み取った画像データの主走査１ライン分のデータと、前記読み取り手段（２）で読み取った画像データの主走査１ライン分のデータを、前記画像データ合成手段で生成される画像有効領域信号の前半部分に前記読み取り手段（１）の画像データ、後半部分に前記読み取り手段（２）のデータとなるように結合して合成した画像データとし、前記読み取り手段（１）及び前記読み取り手段（２）で読み取ったことを識別できる画像データ識別信号を前記合成した画像データに同期させて前記画像処理手段に伝送し、
前記画像処理手段は、前記画像データ合成手段により受け取った前記合成した画像データを、前記画像データ識別信号により異なった画像処理パラメータで画像処理を行うことを特徴とするデジタル複写機。
【請求項２】
前記片面読み取りモードが選択されたときは、前記画像データ合成手段は前記読み取り手段（１）又は（２）で読み取った画像データの主走査１ライン分のデータを、前記画像データ合成手段で生成される画像有効領域信号に結合して合成した画像データとし、画像データ識別信号を前記合成した画像データに同期させて前記画像処理手段に伝送し、
前記画像処理手段は、前記画像データ合成手段より受け取った前記合成した画像データの画像処理を行うことを特徴とする請求項１に記載のデジタル複写機。
【発明の詳細な説明】
【０００１】
【発明の属する技術分野】
本発明は、両面原稿の画像を同時に読み取り可能とし、読み取った画像データによって用紙上に複写を行うデジタル複写機に関する。
【０００２】
【従来の技術】
従来より、両面画像を読み取ることが可能な画像読み取り装置がある。この画像読み取り装置では原稿を機械的に反転させる機構を有していて、図５の回路図に示すように、画像読み取り部８０１は片面ずつの原稿の画像情報を読み取って画像信号に変換し、画像処理部８０２では主走査１ライン単位で所定の信号処理を行ったのち、メモリ制御部８０３を介して一旦メモリ８０４に記憶がなされる。メモリ８０４に記憶された画像読み取り信号は画像形成時に書き込み部８０５に供給され、用紙の対応する面に記録が行われる。
【０００３】
しかしながら、このような画像読み取り装置によって原稿の両面読み取りを行うと、原稿を傷めたり、ページ当りの処理時間が長く要するといった問題があった。そこで両面原稿を同時に読み取り可能な画像読み取り装置が提案されている。この画像読み取り装置では、原稿の表面と裏面を読み取る部分が独立し、かつ２つの画像処理回路が装備されていて、各々で読み取られた表面と裏面の画像データを各々の画像処理回路によって画像処理を行う。具体的には図６の回路図に示すように、原稿の表面の画像情報を読み取る画像読み取り部（１）９０１と、原稿の裏面の画像情報を読み取る画像読み取り部（２）９０２と、画像読み取り部（１）９０１で発生した画像読み取り信号ＶＤ−Ａに所定の信号処理を行う画像処理部（１）９０３と、画像読み取り部（２）９０２で発生した画像読み取り信号ＶＤ−Ｂに所定の信号処理を行う画像処理部（２）９０４とが設けられていて、画像処理部（１）９０３及び画像処理部（２）９０４で所定の信号処理された画像読み取り信号ＶＤ−Ａ及びＶＤ−Ｂメモリ制御部９０５を介して一旦メモリ９０６に記憶がなされる。メモリ９０６に記憶された画像読み取り信号は画像形成時には書き込み部９０７に供給され、用紙の対応する面に記憶が行われる。
【０００４】
しかし、原稿の表面と裏面を読み取る部分が独立し、かつ２つの画像処理回路を装備する構成では、回路規模が片面原稿を読み取る画像読み取り装置に対して２倍となってしまうという問題がある。
【０００５】
そこで、原稿の表面と裏面を読み取る部分は独立とし、２つの画像読み取り部で発生した画像読み取り信号を１つの画像処理部で信号処理を行うようにした画像読み取り部の提案もなされている。
【０００６】
例えば、画像読み取り部での原稿の送り速度を片面原稿読み取り時に較べ両面原稿読み取り時には遅くする。例えば片面原稿読み取りに対して両面原稿読み取り時には１／２の送り速度とし、読み取られた両面原稿の画像情報量が読み取られた片面原稿の画像情報量の２倍となるようにする。そして両面原稿読み取り時には表裏両面について読み取った画像情報を共に１ライン毎に間引く操作を行い、残った画像情報を表面と裏面とで１ライン宛交互に１つの画像処理部に出力することが提案されている（特許文献１参照）。
【０００７】
【特許文献１】
特開平１１−１４６１５３号公報
【０００８】
【発明が解決しようとする課題】
特許文献１においては、原稿の表面と裏面で画像情報を読み取る部分が独立し、１つの画像処理回路で両面原稿画像の画像処理がなされることが記載されている。しかし特許文献１では片面原稿読み取り時と両面原稿読み取り時とでは原稿の送り速度を変更することが必要で、原稿の表裏によって画像処理が異なる場合の対応はなされていない。
【０００９】
本発明は、特許文献１における問題点を解消して、表裏両面の画像情報をほぼ同時に読み取りながら、１つ画像処理回路で画像処理がなされるデジタル複写機を提供することを目的とする。
【００１０】
【課題を解決するための手段】
前記課題を解決し、かつ目的を達成するために、本発明は以下のように構成している。
【００１１】
請求項１記載の発明は、「原稿両面の画像情報を同時に読み取り可能とし、
原稿の表面画像を読み取る読み取り手段（１）と原稿の裏面画像を読み取る読み取り手段（２）と、
前記読み取り手段（１）で読み取った画像データと前記読み取り手段（２）で読み取った画像データとを合成する画像データ合成手段と、
前記画像データ合成手段で合成された画像データを加工する画像処理手段と、
前記画像処理手段で加工された画像データを記憶する記憶手段と、
前記記憶手段から画像データを読み出して記憶部に書き込みを行う書き込み手段と、
を有するデジタル複写機において、
原稿両面の画像情報を同時に読み取る両面読み取りモードと、原稿片面の画像情報を読み取る片面読み取りモードとを有し、前記両面読み取りモードが選択されたときは、前記画像データ合成手段は、前記読み取り手段（１）で読み取った画像データの主走査１ライン分のデータと、前記読み取り手段（２）で読み取った画像データの主走査１ライン分のデータを、前記画像データ合成手段で生成される画像有効領域信号の前半部分に前記読み取り手段（１）の画像データ、後半部分に前記読み取り手段（２）のデータとなるように結合して合成した画像データとし、前記読み取り手段（１）及び前記読み取り手段（２）で読み取ったことを識別できる画像データ識別信号を前記合成した画像データに同期させて前記画像処理手段に伝送し、
前記画像処理手段は、前記画像データ合成手段により受け取った前記合成した画像データを、前記画像データ識別信号により異なった画像処理パラメータで画像処理を行うことを特徴とするデジタル複写機。」である。
【００１２】
この請求項１記載の発明によれば、片面原稿の読み取り時も両面原稿の読み取り時にも同じ時間内に画像情報の読み取りが行われ、両面読み取りモードが選択されたときは、読み取られた画像情報は両面原稿画像の読み取り時にも１つの画像処理回路で、しかも表裏で必要に応じて異なった処理条件での画像処理がなされることとなり、経済的にも機能的にも優れたデジタル複写機が提供されることとなる。
【００１３】
請求項２記載の発明は、「前記片面読み取りモードが選択されたときは、前記画像データ合成手段は前記読み取り手段（１）又は（２）で読み取った画像データの主走査１ライン分のデータを、前記画像データ合成手段で生成される画像有効領域信号に結合して合成した画像データとし、画像データ識別信号を前記合成した画像データに同期させて前記画像処理手段に伝送し、
前記画像処理手段は、前記画像データ合成手段より受け取った前記合成した画像データの画像処理を行うことを特徴とする請求項１に記載のデジタル複写機。」である。
【００１４】
この請求項２記載の発明によれば、読み取り手段（１）又は（２）によって片面原稿の読み取りが可能となり、片面原稿読み取りと両面原稿読み取りとを交えて実施することも可能としたデジタル複写機が提供されることとなる。
【００１５】
【発明の実施の形態】
以下、本発明の実施の形態について図面を用いて説明する。
【００１６】
図１は本発明のデジタル複写機の断面図である。図示したデジタル複写機は、画像形成を行う画像形成装置Ａの上面に原稿画像の読み取りを行う画像読み取り装置Ｂが設けられている。原稿読み取り装置Ｂには、原稿Ｄを載置する原稿載置台５１が設けられていて、原稿載置台５１上の原稿Ｄは１枚宛給紙ローラ５２Ａ、５２Ｂを経て搬送され、更に画像読み取り部５３を経て、原稿ガラス台４６と対向して回動する搬送ベルト５５によって搬送され、排紙ローラ５６によって原稿排紙部５７上に排出される。
【００１７】
画像読み取り部５３では、定速で移動する原稿Ｄの表面及び裏面の画像情報を読み取る読み取り素子４１、４２が設けられている。原稿Ｄの表面画像は照明ランプ４３によって照明され、反射ミラー４４Ａ、４４Ｂ、４４Ｃで反射され結像レンズ４５によって読み取り素子４１の素子面で結像し、表面画像の読み取りが行われる。読み取り素子４１にはＣＣＤが好ましく用いられる。また裏面画像の読み取りを行う読み取り素子４２にはＣＩＳが好ましく用いられる。
【００１８】
原稿Ｄ両面の画像情報を同時に読み取る両面読み取りモードでは、画像読み取り部５３を定速度をもって通過する原稿Ｄの表裏の画像情報を読み取り素子４１、４２が読み取ることによって行われる。また、片面読み取りモードでは、画像読み取り部５３を定速をもって通過する原稿Ｄの表面又は裏面の画像情報を読み取り素子４１又は４２が読み取ることによって行われる。また原稿Ｄが本などの綴じた形の場合には、原稿Ｄを原稿ガラス台４６上に載置し、反射ミラー４４Ａ、４４Ｂ、４４Ｃを移動走査して原稿Ｄの画像情報を読み取り素子４１が読み取ることによって行われる。
【００１９】
画像読み取り装置Ｂの下方に位置した画像形成装置Ａは、回転する像担持体１の周囲に、帯電手段２、像露光手段（書込手段）３、現像手段４、転写手段５Ａ、除電手段５Ｂ、分離爪５Ｃ及びクリーニング手段５Ｄを配置した画像形成部を有し、帯電手段２によって像担持体１の表面に一様帯電を行った後に、像露光手段３のレーザビームによって画像読み取り装置Ｂで読み取られた原稿Ｄの画像データに基づく露光走査を行って潜像を形成し、該潜像を現像手段４により反転現像して像担持体１の表面にトナー像を形成する。
【００２０】
一方、給紙手段６Ａから給紙された記録紙Ｓは中間給紙部６Ｂを経て転写位置へと送られる。転写位置において転写手段５Ａにより前記トナー像が記録紙Ｓ上に転写される。その後に、記録紙Ｓは除電手段５Ｂにより裏面の電荷が消去され、分離爪５Ｃにより像担持体１から分離され、搬送手段７Ａにより搬送され、引き続き定着手段８により加熱定着され、排紙ローラ７Ｃにより排出される。
【００２１】
記録紙Ｓの両面に画像形成を行う場合には、定着手段８により加熱定着された記録紙Ｓを、搬送路切換板７Ｂにより通常の排紙通路から分岐し、反転搬送手段７Ｄにおいてスイッチバックして表裏反転した後、再び中間給紙部６Ｂを経て、転写位置において像担持体１上に新たに形成されたトナー像の転写がなされ、定着手段８によって加熱定着がなされ、排紙ローラ７Ｃにより装置外に排出される。
【００２２】
図２には本発明のデジタル複写機の概略回路図を示している。原稿を読み取る画像読み取り手段を２つ装備している。画像読み取り部（１）の読み取り素子４１からは原稿表面の画像データが、画像読み取り部（２）の読み取り素子４２からは原稿裏面の画像データがそれぞれ出力され、出力された画像データは合成部１００において合成される。合成部１００において合成された画像データは画像処理部２００において表面、裏面の画像データについてそれぞれ空間フィルタ、γ変換変倍機能およびＥＤ処理などの画像処理が行われる。画像処理がなされた画像データはメモリ制御部３００によって一旦メモリ４００に保存されたのち、画像形成時にはメモリ制御部３００はメモリ４００より当該画像データを呼び出し、書き込み部である像露光手段３に出力して像担持体１表面に潜像を形成する。
【００２３】
図３は合成部１００の合成回路の概略図を示している。画像読み取り部（１）と画像読み取り部（２）とから出力された画像データを合成する合成部１００は、主に同期信号生成部１０２、ラインメモリ（Ｆ１Ｆ０）１０１Ａ、１０１Ｂと、メモリ制御部１０３と、２ラインの画像データを１ライン化するためのセレクタ回路１０４、ＣＰＵインターフェイス部１０５より構成されている。
【００２４】
デジタル複写機では、画像読み取り装置Ｂの原稿表裏の画像データを読み取る各読み取り部の取り付け位置が通常は若干異なっているため、画像読み取り部（１）及び（２）から出力される画像データのタイミングも異なっている。よって、画像データの入力段にラインメモリ（Ｆ１Ｆ０）１０１Ａ、１０１Ｂを設けることによって各々画像データの入力タイミングのずれ調整を行っている。
【００２５】
同期信号生成部１０２は２つの画像データを合成データに合成させた周期に応じたライン同期信号（ＩＮＤＥＸ−Ｃ）、主走査方向画像有効領域信号（ＨＶ−Ｃ）及び、ＨＶ−Ｃと同期して読み取り部（１）と読み取り部（２）とのどちらでその画像データを読み取ったかを判別可能とする画像データ識別信号（ＳＥＬＥＣＴ）を生成する。またＣＰＵインターフェイス１０５は、ＣＰＵからのアクセスにより同期信号生成部１０２で生成されるＩＮＤＥＸ−Ｃ、ＨＶ−Ｃ、ＳＥＬＥＣＴ信号の周期を設定・変更することを可能としている。
【００２６】
例えば、片面読み取りモードが設定されて原稿片面の読み取り時には、周期信号生成部１０２で生成される信号周期を両面読み取りモード時の１／２倍に設定することによって、片面読み取りモード時にはコピー生産性を落とすことなく画像形成が行われることとなる。合成部１００からは、セレクタ回路１０４からはＶＤ−Ｃが、同期信号生成部１０２からはＩＮＤＥＸ−Ｃ、ＨＶ−Ｃ、ＳＥＬＥＣＴが、画像処理部２００に出力され、画像処理部２００では表面の画像データと裏面の画像データがＳＥＬＥＣＴによって分別されそれぞれに画像処理が行われる。
【００２７】
図４は合成部１００におけるタイミングチャートを示している。（Ａ）は原稿表面の画像読み取り信号（ＶＤ−Ａ）を中心に作成されたタイミングチャート、（Ｂ）は原稿裏面の画像読み取り信号（ＶＤ−Ｂ）を中心に作成されたタイミングチャートで、（Ｃ）は（Ａ）、（Ｂ）を合成しＳＥＬＥＣＴを付して画像処理部２００に出力されるタイミングチャートである。
【００２８】
【発明の効果】
請求項１記載の発明によれば、片面原稿の読み取り時も両面原稿の読み取り時にも同じ時間内に画像情報の読み取りが行われ、両面読み取りモードが選択されたときは、読み取られた画像情報は両面原稿画像の読み取り時にも１つの画像処理回路で、しかも表裏で必要に応じて異なった処理条件での画像処理がなされることとなり、経済的にも機能的にも優れたデジタル複写機が提供されることとなる。
【００２９】
請求項２記載の発明によれば、読み取り手段（１）又は（２）によって片面原稿の読み取りが可能となり、片面原稿読み取りと両面原稿読み取りとを交えて実施することも可能としたデジタル複写機が提供されることとなる。
【図面の簡単な説明】
【図１】デジタル複写機の断面図。
【図２】デジタル複写機の概略回路図。
【図３】合成部回路の概略図。
【図４】合成部におけるタイミングチャート。
【図５】従来の両面原稿の読み取りがなされる複写機の回路図。
【図６】従来の両面原稿が同時に読み取りがなされる複写機の回路図。
【符号の説明】
１  像担持体
３  像露光手段
４１、４２  読み取り素子
５３  画像読み取り部
１００  合成部
１０１  ラインメモリ
１０２  同期信号生成部
１０３  メモリ制御部
１０４  セレクタ回路
１０５  ＣＰＵインターフェース
２００  画像処理部
【図１】
2004266439.tif 000003
【図２】
2004266439.tif 000004
【図３】
2004266439.tif 000005
【図４】
2004266439.tif 000006
【図５】
2004266439.tif 000007
【図６】
2004266439.tif 000008